(57)【要約】【課題】光の照射方向の自由度を高め、灯体の交換を容易にする照明装置を提供する。【解決手段】灯体１０を、所定方向へ回動枠３０の内周に沿って回動させると、突部３２が回動胴２０の突部２１に当接して回動規制がかかる。さらに、灯体１０を所定方向へ回動枠３０の内周に沿って回動させると、回動枠３０が灯体１０とともに所定方向へ回動し、突部３３が第１の回動規制部位１０５ａ（または第２の回動規制部位１０５ｂ）に当接する。灯体１０は、回動枠３０に取り付けられる際に、回動枠３０に嵌入される回動胴２０が係止爪３１ａ〜３１ｃの爪部および爪部付近を回動枠３０の外周方向へ弾性変形により押し広げる。そして、灯体１０は、回動胴２０の嵌入先端が回動枠３０の脚部の内周部分に当接すると同時に、外周方向へ押し広げられた係止爪３１ａ〜３１ｃの爪部および爪部付近の弾性変形が復元し、爪部が回動枠３０に嵌入された回動胴２０の上端を押さえる。【選択図】図５Ｂ
2015050020.tif 000002
【特許請求の範囲】
【請求項１】
発光素子が実装され、第１の突部を有する回動胴が環装された灯体と；
前記回動胴が第１の回動を可能に嵌入され、前記第１の回動により前記第１の突部と当接して前記第１の回動を規制する第２の突部と、第３の突部とを有する回動枠と；
前記回動枠が第２の回動を可能に取り付けられ、前記第３の突部を挿通させて前記第２の回動により前記第３の突部と当接して前記第２の回動を規制する挿通部を有する取付板と；
を具備する照明装置。
【請求項２】
前記回動枠は、
前記回動胴が嵌入される際に、前記回動枠の外周方向へ弾性変形により押し広げられ、前記回動胴の嵌入の先端が前記回動枠の脚部に当接すると、前記弾性変形が復元し、前記回動枠に嵌入された前記回動胴の上端を押さえる係止部；
をさらに具備する請求項１に記載の照明装置。
【請求項３】
前記回動胴および前記回動枠は、異なる摩擦係数を有する素材によりそれぞれ形成される
請求項１または２に記載の照明装置。
【発明の詳細な説明】
【技術分野】
【０００１】
本発明の実施形態は、照明装置に関する。
【背景技術】
【０００２】
近年、ＬＥＤ（Light  Emitting  Diode）などの半導体発光素子を光源とする照明装置が用いられている。例えば、装置本体の鉛直方向および水平方向を回動軸として、光源を有する灯体を回動自在とする照明装置がある。このような照明装置は、灯体に取り付けられる略円筒状の内枠が、照明装置自体を室内天井に固定するための略円筒状の外枠に対して摺動により回動可能に取り付けられ、外枠に対する内枠の回動量が所定量に規制される。
【０００３】
しかし、かかる照明装置は、外枠に対する内枠の回動量が所定量に規制されるため、外枠に対する内枠の回動の自由度が低く、照明装置の光の照射方向の自由度が低い。
【先行技術文献】
【特許文献】
【０００４】
【特許文献１】特許第５１６９６１５号公報
【発明の概要】
【発明が解決しようとする課題】
【０００５】
本発明が解決しようとする課題は、光の照射方向の自由度を高める照明装置を提供することである。
【課題を解決するための手段】
【０００６】
実施形態の一例にかかる照明装置は、灯体、回動枠、取付板を具備する。灯体は、発光素子が実装され、第１の突部を有する回動胴が環装される。回動枠は、回動胴が第１の回動を可能に嵌入され、第１の回動により第１の突部と当接して第１の回動を規制する第２の突部と、第３の突部とを有する。取付板は、回動枠が第２の回動を可能に取り付けられ、第３の突部を挿通させて第２の回動により第３の突部と当接して第２の回動を規制する挿通部を有する。
【発明の効果】
【０００７】
実施形態の一例にかかる照明装置によれば、光の照射方向の自由度を高めることができる。
【図面の簡単な説明】
【０００８】
【図１】図１は、実施形態にかかる照明装置を示す斜視図である。
【図２】図２は、実施形態にかかる照明装置の分解斜視図である。
【図３】図３は、実施形態にかかる照明装置の灯体の分解斜視図である。
【図４】図４は、実施形態にかかる照明装置の灯体の回動の態様を示す斜視図である。
【図５Ａ】図５Ａは、実施形態にかかる照明装置の内部を示す斜視図である。
【図５Ｂ】図５Ｂは、実施形態にかかる照明装置における光源ユニットを示す斜視図である。
【図６】図６は、実施形態にかかる照明装置における回動枠の取り付けの態様を示す斜視図である。
【図７】図７は、実施形態の変形例１にかかる照明装置を示す斜視図である。
【図８】図８は、実施形態の変形例２にかかる照明装置を示す斜視図である。
【図９】図９は、実施形態の変形例３にかかる照明装置における光源ユニットの分解図である。
【発明を実施するための形態】
【０００９】
以下、図面を参照して、実施形態にかかる照明装置を説明する。実施形態において同一の機能を有する構成には同一の符号を付し、重複する説明は省略する。なお、以下の実施形態で説明する照明装置は、一例を示すに過ぎず、実施形態を限定するものではない。例えば、以下の実施形態では、照明装置は、１から複数の灯具を組合せて建物の天井に設置される、ＬＥＤ（Light  Emitting  Diode）を光源とするユニバーサルダウンライトである。しかし、これに限らず、照明装置は、広く半導体光源一般を光源とするものであってもよい。また、以下の実施形態および各変形例は、矛盾しない範囲内で適宜組みあわせてもよい。
【００１０】
以下の第１の実施態様にかかる照明装置は、発光素子が実装され、第１の突部を有する回動胴が環装された灯体を具備する。そして、照明装置は、回動胴が第１の回動を可能に嵌入され、第１の回動により第１の突部と当接して第１の回動を規制する第２の突部と、第３の突部とを有する回動枠を具備する。そして、照明装置は、回動枠が第２の回動を可能に取り付けられ、第３の突部を挿通させて第２の回動により第３の突部と当接して第２の回動を規制する挿通部を有する取付板を具備する。
【００１１】
また、以下の第２の実施態様にかかる照明装置は、回動枠は、係止部をさらに具備する。係止部は、回動胴が嵌入される際に、回動枠の外周方向へ弾性変形により押し広げられる。そして、係止部は、回動胴の嵌入の先端が回動枠の脚部に当接すると、弾性変形が復元し、回動枠に嵌入された回動胴の上端を押さえる。
【００１２】
また、以下の第３の実施態様にかかる照明装置は、回動胴および回動枠は、異なる摩擦係数を有する素材によりそれぞれ形成される。
【００１３】
［実施形態］
（照明装置の構成）
図１は、実施形態にかかる照明装置を示す斜視図である。また、図２は、実施形態にかかる照明装置の分解斜視図である。図１および図２は、実施形態にかかる照明装置１００を、光の照射方向の反対側である上方の斜め方向から見た斜視図である。照明装置１００は、外形状が略直方体である。照明装置１００は、灯体１０、回動枠３０、略矩形の底枠１０１、側壁１０２、化粧板１０３、押止板１０４、蓋体１０６を有する。側壁１０２は、底枠１０１の四辺に立設される。化粧板１０３は、側壁１０２により周囲が取り囲まれる略方形の板である。押止板１０４は、略方形の板材に灯体１０を挿通させる略円孔が設けられる。蓋体１０６は、側壁１０２を被覆する。
【００１４】
灯体１０は、照明装置１００において、側壁１０２により囲まれる空間内部に配置される。灯体１０は、放熱フィン１１、回動胴２０を有する。放熱フィン１１は、アルミダイカストなどの放熱性に優れた金属により、略三角形状に形成される。回動胴２０は、アルミダイカストなどの金属により、略円筒状に形成される。照明装置１００において、灯体１０を除く構成を、筐体と呼ぶ。また、灯体１０の放熱フィン１１側を上方と呼び、回動胴２０側を下方と呼ぶ。
【００１５】
回動枠３０は、化粧板１０３と、押止板１０４とで、回動枠３０の縁状の脚部が挟持される。回動枠３０に、回動胴２０が嵌入される。回動枠３０は、縁状の脚部が化粧板１０３と押止板１０４で挟持されることから、化粧板１０３上で、押止板１０４の略円孔の内周に沿って摺動により回動可能となる。
【００１６】
なお、化粧板１０３は、照明装置１００を建物の天井に設置した場合に、灯体１０の下方の一部分とともに下方から視認可能な意匠部材である。化粧板１０３および押止板１０４で、回動枠３０の縁状の脚部を挟持して摺動による回動を可能とすることから、化粧板１０３および押止板１０４は、回動枠３０の取付板である。
【００１７】
回動枠３０は、例えばＡＢＳ（Acrylonitrile  Butadiene  Styrene）樹脂などにより形成される。回動枠３０の縁状の脚部は、回動枠３０の周壁よりも外周側に位置する外周部分と、回動枠３０の周壁よりも内周側に位置する内周部分を有する。化粧板１０３と押止板１０４で挟持される回動枠３０の脚部は、回動枠３０の周壁よりも外周側に位置する外周部分２５ａ（図６参照）である。また、回動枠３０の脚部のうち、回動枠３０の周壁よりも内周側に位置する内周部分２５ｂ（図６参照）は、回動枠３０に嵌入された回動胴２０を底枠１０１側の方向から支持する。
【００１８】
また、回動枠３０は、係止爪３１ａ、３１ｂ、３１ｃを有する。係止爪３１ａ〜３１ｃは、回動枠３０の周面に略等間隔に設けられる。係止爪３１ａ〜３１ｃは、それぞれ筒状の回動枠３０の側面に入れられた２つの切り込みの間に設けられる。係止爪３１ａ〜３１ｃは、回動枠３０の切り込み口付近において、回動枠３０に嵌入された回動胴２０の上端を押さえる爪部を有する。
【００１９】
すなわち、灯体１０は、回動枠３０に取り付けられる際に、回動枠３０に嵌入される回動胴２０が係止爪３１ａ〜３１ｃの爪部および爪部付近を回動枠３０の外周方向へ弾性変形により押し広げる。そして、灯体１０は、回動胴２０の嵌入先端が回動枠３０の脚部の内周部分に当接すると同時に、外周方向へ押し広げられた係止爪３１ａ〜３１ｃの爪部および爪部付近の弾性変形が復元し、爪部が回動枠３０に嵌入された回動胴２０の上端を押さえる。灯体１０は、回動枠３０に回動胴２０が嵌入され、押止板１０４が側壁１０２に取り付けられることにより、照明装置１００内部において、回動枠３０の内周に沿って摺動による回動が可能に取り付けられる。
【００２０】
また、図２に示すように、回動枠３０は、上端の周上に、突部３２を有する。突部３２は、回動枠３０に取り付けられた灯体１０の回動胴２０が回動枠３０の円周に沿って回動する際に、後述の回動胴２０の突部２１に当接する。回動枠３０の突部３２は、回動胴２０の突部２１が当接することにより、回動胴２０が、回動枠３０に対して３６０°を超えて回動することを規制する。この規制により、例えば、灯体１０に接続される電源供給などのためのケーブル（図示せず）がねじれたり、ねじ切れたりすることを防止する。
【００２１】
なお、回動胴２０および回動枠３０は、回動枠３０に対する回動胴２０の回動の際の摩擦抵抗および回転トルクを考慮した異なる素材である。例えば、回動胴２０および回動枠３０の両方が金属であってもよい。または、例えば、回動胴２０および回動枠３０の両方が樹脂であってもよい。または、例えば、回動胴２０および回動枠３０のいずれか一方が金属で、他方が樹脂であってもよい。または、例えば、回動胴２０および回動枠３０は、異なる摩擦係数を有する素材で形成されてもよい。このようにすることで、回動胴２０は、回動枠３０に対して適度な摩擦抵抗でスムーズに回動できるとともに、回動後の位置を保持し、不意の回動を抑止できる。
【００２２】
（灯体の構成）
図３は、実施形態にかかる照明装置の灯体の分解斜視図である。実施形態にかかる灯体１０は、放熱フィン１１、基板１２、レンズベース１３、演色フィルタ１４、レンズ枠１５、回動胴２０を有する。灯体１０は、図３に示すように、下方から、回動胴２０、レンズ枠１５、演色フィルタ１４、レンズベース１３、基板１２、放熱フィン１１の順序で組み付けられて構成される。
【００２３】
放熱フィン１１は、下方に位置する基板１２に下方へ向けて搭載される光源が発する熱を放熱する。放熱フィン１１は、平置面の略円状の直径の両端に、孔を有する。また、放熱フィン１１は、基板１２に実装される光源へ電源を供給するケーブル（図示せず）が上方へ取り回される。
【００２４】
基板１２は、下方の面に、ＬＥＤ（図示せず）が光源として配置される。基板１２は、前述のケーブルを介して複数のＬＥＤへ電源を供給するとともに、ＬＥＤの発光を制御する制御回路（図示せず）を有する。また、基板１２は、略円状の直径の両端に、切り欠き部を有する。
【００２５】
レンズベース１３は、レンズ１３ａを有する。なお、図３では、１個のレンズに符号１３ａを付与しているが、レンズベース１３に形成されている円錐台形状の各部材はレンズ１３ａに該当する。レンズベース１３は、レンズ１３ａにより、基板１２に配置されたＬＥＤからの光を発散または集束させる。レンズベース１３は、上方から基板１２を収容するとともに、下方から演色フィルタ１４が取り付けられる。レンズベース１３は、演色フィルタ１４を取り付けるための溝部が内周に設けられる。溝部は、レンズベース１３の内周に沿った凹状部と、レンズベース１３の下端から、後述の演色フィルタ１４の突部を凹状部まで案内するガイド溝を有する。
【００２６】
また、レンズベース１３は、略円筒状の本体の直径の両端に、湾曲部を有する。湾曲部は、レンズベース１３の外周では凹部となり、レンズベース１３の内周では凸部となる。レンズベース１３は、上方から基板１２を収容する際には、上述の基板１２の切り欠き部が、レンズベース１３の凸部に位置合せされる。
【００２７】
演色フィルタ１４は、基板１２に配置されるＬＥＤが発する光を透過させる際に、光に色彩を加える。演色フィルタ１４は、略円状の直径の両端に、レンズベース１３に取り付けるための突部を有する。演色フィルタ１４は、突部を上述のガイド溝から進入させ、突部が上述の凹状部まで至った後に所定角度だけ回転されることで、レンズベース１３に取り付けられる。
【００２８】
レンズ枠１５は、基板１２が収容され、演色フィルタ１４が取り付けられたレンズベース１３を収容する。レンズ枠１５は、略円状の直径の両端に、内周へ突出する凸部を有する。レンズ枠１５の凸部は、ネジ孔を有する。レンズ枠１５は、基板１２が収容され、演色フィルタ１４が取り付けられたレンズベース１３を収容した状態で、上方から放熱フィン１１が取り付けられる。
【００２９】
レンズ枠１５は、上方からレンズベース１３を収容する際には、上述のレンズベース１３の凹部が、上述のレンズ枠１５の凸部に位置合せされる。放熱フィン１１のレンズ枠１５への取り付けは、放熱フィン１１の孔と、レンズ枠１５のネジ孔を位置合せた上で、放熱フィン１１の孔を挿通させたネジをレンズ枠１５のネジ孔に螺合させることによりおこなわれる。なお、ネジ止めに限らず、ピン留めでもよい。
【００３０】
また、レンズ枠１５は、回動軸口１５ａ、１５ｂを有する。レンズ枠１５は、図３に示すＩ−Ｉ線に沿って回動軸口１５ａ、１５ｂを貫通する回動軸孔を有する。
【００３１】
回動胴２０は、レンズ枠１５を上方から収容する。回動胴２０は、回動軸口２３ａ、２３ｂを有する。回動胴２０は、レンズ枠１５を収容し、レンズ枠１５のＩ−Ｉ線と、回動胴２０のII−II線を軸合せした上で、回動軸口２３ａ、２３ｂからネジまたはピンを挿通させ固定する。このようにして、回動胴２０にレンズ枠１５を含む灯体１０が固定される。または、灯体１０に回動胴２０が環装される。そして、灯体１０が、回動胴２０に対して、II−II線（もしくはＩ−Ｉ線）を回動軸として回動可能となる。
【００３２】
また、回動胴２０は、上端の周上に、突部２１を有する。上述したように、回動胴２０の突部２１は、回動枠３０の突部３２と当接することにより、回動胴２０が、回動枠３０に対して３６０°を超えて回動することを規制する。
【００３３】
図４は、実施形態にかかる照明装置の灯体の回動の態様を示す斜視図である。図４に示すように、灯体１０は、回動胴２０に対して、II−II線（もしくはＩ−Ｉ線）を回動軸として、放熱フィン１１が回動胴２０の内周に当接するまで回動可能となる。このように、灯体１０は、II−II線（もしくはＩ−Ｉ線）を回動軸として所定範囲内で回動し、光の照射角度を調整できる。
【００３４】
（回動枠の回動規制）
図５Ａは、実施形態にかかる照明装置の内部を示す斜視図である。また、図５Ｂは、実施形態にかかる照明装置における光源ユニットを示す斜視図である。また、図６は、実施形態にかかる照明装置における回動枠の取り付けの態様を示す斜視図である。図５Ａ、図５Ｂおよび図６を参照して、照明装置１００の回動枠３０の回動規制について説明する。なお、図５Ｂは、照明装置１００における光源ユニット１を示す斜視図である。
【００３５】
回動枠３０は、脚部の外周部分が化粧板１０３と押止板１０４で挟持されるのみであると、回動枠３０の内周に沿った回動胴２０の回動にともない、回動枠３０も同時に回動する場合がある。この場合は、回動枠３０の突部３２に回動胴２０の突部２１が当接しても、回動規制がかからない。
【００３６】
そこで、図５Ａ、図５Ｂおよび図６に示すように、照明装置１００は、押止板１０４の四辺から立設する立設板のうちの１つの立設板１０４ａに、略長矩形の挿通部１０５を有する。図６に示すように、挿通部１０５は、第１の回動規制部位１０５ａおよび第２の回動規制部位１０５ｂを有する。
【００３７】
また、図５Ａ、図５Ｂおよび図６に示すように、回動枠３０は、縁状の脚部の外周部分に、外方へ突出する突部３３を有する。挿通部１０５の幅手方向の長さは、突部３３の幅手方向の長さよりも長い。そして、突部３３が挿通部１０５を挿通する状態で、化粧板１０３と押止板１０４で回動枠３０の脚部が挟持される。
【００３８】
ここで、灯体１０を、図５Ｂに示すＡ方向へ、回動枠３０の内周に沿って回動させると、突部３２が回動胴２０の突部２１に当接して、回動胴２０に回動規制がかかる。さらに、灯体１０を、図５Ｂに示すＡ方向へ、回動枠３０の内周に沿って回動させると、回動枠３０が灯体１０とともにＡ方向へ回動し、突部３３が第１の回動規制部位１０５ａに当接する。突部３３が第１の回動規制部位１０５ａに当接すると、回動枠３０に回動規制がかかる。
【００３９】
あるいは、灯体１０を、図５Ｂに示すＡ方向へ、回動枠３０の内周に沿って回動させると、回動枠３０が灯体１０とともにＡ方向へ回動し、突部３３が第１の回動規制部位１０５ａに当接する。突部３３が第１の回動規制部位１０５ａに当接すると、回動枠３０に回動規制がかかる。さらに、灯体１０を、図５Ｂに示すＡ方向へ、回動枠３０の内周に沿って回動させると、突部３２が回動胴２０の突部２１に当接して、回動胴２０に回動規制がかかる。
【００４０】
反対に、灯体１０を、図５Ｂに示すＢ方向へ、回動枠３０の内周に沿って回動させると、突部３２が回動胴２０の突部２１に当接して回動規制がかかる。さらに、灯体１０を、図５Ｂに示すＢ方向へ、回動枠３０の内周に沿って回動させると、回動枠３０が灯体１０とともにＢ方向へ回動し、突部３３が第２の回動規制部位１０５ｂに当接する。
【００４１】
あるいは、灯体１０を、図５Ｂに示すＢ方向へ、回動枠３０の内周に沿って回動させると、回動枠３０が灯体１０とともにＢ方向へ回動し、突部３３が第２の回動規制部位１０５ｂに当接する。突部３３が第２の回動規制部位１０５ｂに当接すると、回動枠３０に回動規制がかかる。さらに、灯体１０を、図５Ｂに示すＢ方向へ、回動枠３０の内周に沿って回動させると、突部３２が回動胴２０の突部２１に当接して、回動胴２０に回動規制がかかる。
【００４２】
ここで、回動枠３０に対する灯体１０の回動角度をαとし、回動枠３０が灯体１０とともに回動する回動角度をβとする。挿通部１０５の第１の回動規制部位１０５ａおよび第２の回動規制部位１０５ｂ間の長さ、ならびに、突部２１、突部３２、突部３３それぞれの幅手方向の長さは、（α＋β）を３６０°以上とするものである。すなわち、回動枠３０に対する灯体１０の回動と、回動枠３０が灯体１０とともに回動することを組合せることで、灯体１０の回動に一定の規制をかけつつ、３６０°以上の灯体１０の回動角度を確保できる。
【００４３】
（実施形態の効果）
以上の実施形態によれば、建物の天井に設置される照明装置において、部品点数を増やさず、水平方向の回動角度を３６０°以上確保でき、水平方向の照射方向の自由度を高めることができる。また、照明装置において、部品点数を増やすことなく、灯体を簡便に取り付けおよび取り外しででき、照明装置への灯体の組み入れの自由度を向上させ、照明装置の演出性を高めることができる。
【００４４】
（実施形態の変形例１）
図７は、実施形態の変形例１にかかる照明装置を示す斜視図である。なお、図７において、灯体１０の図示を省略している。図７に示すように、実施形態の変形例１にかかる照明装置２００は、図５Ｂに示す光源ユニット１を、底枠２０１の上方に２つ並置し、蓋体２０６を取り付けた構造となっている。実施形態の変形例１によれば、１つの筐体に２つの光源ユニット１を収容し、筐体を建物の天井に取り付けることで、２つの光源ユニット１を効率よく建物の天井に設置することができる。
【００４５】
（実施形態の変形例２）
図８は、実施形態の変形例２にかかる照明装置を示す斜視図である。なお、図８において、灯体１０の図示を省略している。図８に示すように、実施形態の変形例２にかかる照明装置３００は、図５Ｂに示す光源ユニット１を、底枠３０１の上方に３つ並置し、蓋体３０６を取り付けた構造となっている。実施形態の変形例３によれば、１つの筐体に３つの光源ユニット１を収容し、筐体を建物の天井に取り付けることで、３つの光源ユニット１を効率よく建物の天井に設置することができる。
【００４６】
（実施形態の変形例３）
図９は、実施形態の変形例３にかかる照明装置における光源ユニットの分解図である。実施形態の変形例３にかかる照明装置における光源ユニット１ａは、図５Ｂに示した光源ユニット１と比較して、２つの係止爪４１ａおよび係止爪４１ｂを有する点が異なる。光源ユニット１ａは、回動枠４０の周面に略等間隔に２つの係止爪４１ａおよび係止爪４１ｂが設けられる。係止爪４１ａおよび係止爪４１ｂそれぞれは、実施形態における、係止爪３１ａ〜係止爪３１ｃそれぞれと同様の構成である。実施形態の変形例３によれば、灯体１０を係止する係止爪を２つとすることにより、回動枠４０を含む照明装置の製造工程の簡略化を図ることができる。または、回動枠への灯具の取り付け、取り外しが、より簡易になる。
【００４７】
なお、以上の実施形態および変形例１〜３にかかわらず、照明装置は、１つの筐体に４つ以上の光源ユニット１を収容するものであってもよい。また、照明装置において、回動胴を爪嵌合で係止する、回動枠に設けられる係止爪は、４つ以上であってもよい。
【００４８】
（実施形態および各変形例の効果）
以上説明したとおり、実施形態および各変形例によれば、灯体の水平方向の回動角度について、構造の簡素化、部品点数の最小化の観点から電源線のねじれ防止のための回動規制を設けつつ、部品点数を増やすことなく、３６０°以上の回動を可能とできる。または、実施形態および各変形例によれば、筐体への灯具の取り付けにおいて、灯具に加工を施すことや部品点数を増やすことを要さず、例えばユニバーサルダウンライトの灯具を他の照明システムに流用して組合せ可能とすることができる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１０  灯体
２０  回動胴
２１、３２、３３  突部
３０、４０  回動枠
３１ａ、３１ｂ、３１ｃ、４１ａ、４１ｂ  係止爪
１００、２００、３００  照明装置
１０３  化粧板
１０４  押止板
１０５  挿通部
【図１】
2015050020.tif 000003
【図２】
2015050020.tif 000004
【図３】
2015050020.tif 000005
【図４】
2015050020.tif 000006
【図５Ａ】
2015050020.tif 000007
【図５Ｂ】
2015050020.tif 000008
【図６】
2015050020.tif 000009
【図７】
2015050020.tif 000010
【図８】
2015050020.tif 000011
【図９】
2015050020.tif 000012